(57)【特許請求の範囲】
【請求項１】
受信機から警戒区域に引き出した回線に火災感知器を接続し、前記火災感知器から火災信号を前記受信機で受信した場合に、火災発生場所を特定した火災警報を出力する警報システムに於いて、
警戒区域に、無線通信機能を備えた制御用中継装置を設置すると共に、前記無線通信機能を備えた光警報装置と非常通報装置を設置し、
前記制御用中継装置は、前記回線を介して前記受信機から火災信号を受信した場合に光警報の制御電文を前記光警報装置に送信して光警報を出力させ、前記警戒区域に設置した非常通報装置から非常通報電文を受信した場合に、非常通報信号を前記受信機に送信して非常通報を報知させると共に、前記非常通報電文を送信した前記非常通報装置に対応した警戒区域に設置している光警報装置を指定した光警報の制御電文を送信して光警報を出力させることを特徴とする警報システム。
【請求項２】
請求項１記載の警報システムに於いて、
前記警戒区域は複数の区画から形成され、
前記複数の区画の各々に無線通信機能を備えた光警報装置と非常通報装置を設置し、
前記複数の区画の何れかに設置した非常通報装置から非常通報電文を受信した場合に、非常通報信号を前記受信機に送信して非常通報を報知させると共に、前記非常通報電文を送信した前記非常通報装置と同じ区画に設置している光警報装置を指定した光警報の制御電文を送信して光警報を出力させることを特徴とする警報システム。
【請求項３】
請求項１記載の警報システムに於いて、
前記警戒区域の外側に前記光警報装置を設置し、
前記制御用中継装置は、前記受信機から火災信号を受信した場合又は非常通報装置から非常通報電文を受信した場合に、前記光警報装置に制御電文を送信して光警報を出力させることを特徴とする警報システム。
【請求項４】
請求項１乃至３の何れかに記載の警報システムに於いて、
前記警戒区域内に無線通信機能を備えた放火監視センサを設置し、
前記制御用中継装置は、前記放火監視センサから放火検出電文を受信した場合に制御電文を前記光警報装置に送信して光警報を出力させると共に、放火検出信号を前記受信機に送信して放火発生場所を特定した放火警報を出力させることを特徴とする警報システム。
【請求項５】
請求項１記載の警報システムに於いて、
前記複数の区画の各々に、無線通信機能を備えた人体センサと照明装置を設置し、
前記制御用中継装置は、前記複数の区画の何れかに設置した前記人体センサから人体検出電文を受信した場合に、前記人体センサと同じ区画に設置している前記照明装置を指定した照明オンの制御電文を送信して点灯させ、続いて、前記人体センサから人体非検出電文を受信した場合に、所定の遅延時間後に前記照明装置に照明オフの制御電文を送信して消灯させることを特徴とする警報システム。
【請求項６】
請求項５記載の警報システムに於いて、前記制御用中継装置は、前記照明装置のオンオフ及び又は単位時間当りの点灯総計時間を示す信号を前記受信機に送信して表示及び又は記憶させることを特徴とする警報システム。
【請求項７】
複数の区画を有する施設に、無線通信機能を備えた制御装置を設置すると共に、前記複数の区画の各々に無線通信機能を備えた光警報装置と非常通報装置を設置し、
前記制御装置は、前記複数の区画の何れかに設置した非常通報装置から非常通報電文を受信した場合に、前記非常通報電文を送信した前記非常通報装置に対応したと同じ区画に設置している光警報装置を指定して光警報の制御電文を送信して光警報を出力させることを特徴とする警報システム。
【請求項８】
請求項７記載の警報システムに於いて、
前記施設内の前記区画を除く領域及び前記施設の外側に前記光警報装置を設置し、
前記制御装置は、前記非常通報装置から非常通報電文を受信した場合に、前記光警報装置に制御電文を送信して光警報を出力させることを特徴とする警報システム。
【請求項９】
請求項７又は８記載の警報システムに於いて、
前記施設内に無線通信機能を備えた放火監視センサを設置し、
前記制御装置は、前記放火監視センサから放火検出電文を受信した場合に制御電文を前記光警報装置に送信して光警報を出力させることを特徴とする警報システム。
【請求項１０】
請求項７記載の警報システムに於いて、
前記複数の区画の各々に、無線通信機能を備えた人体センサと照明装置を設置し、
前記制御装置は、前記複数の区画の何れかに設置した前記人体センサから人体検出電文を受信した場合に、前記人体センサと同じ区画に設置している前記照明装置を指定した照明オンの制御電文を送信して点灯させ、続いて、前記人体センサから人体非検出電文を受信した場合に、所定の遅延時間後に前記照明装置に照明オフの制御電文を送信して消灯させることを特徴とする警報システム。
【請求項１１】
請求項１０記載の警報システムに於いて、前記制御装置は、前記照明装置のオン、オフ動作及び又は単位時間当たりの点灯総計時間を、所定の手順により記憶し、所定の手順により読み出すことを特徴とする警報システム。
【請求項１２】
受信機から警戒区域に引き出した回線に火災感知器を接続し、前記火災感知器から火災信号を前記受信機で受信した場合に、火災発生場所を特定した火災警報を出力する警報システムに於いて、
警戒区域に、外部装置と信号を授受する機能を備えた制御用中継装置を設置すると共に、前記制御用中継装置と信号を授受する機能を備えた光警報装置と非常通報装置を設置し、前記制御用中継装置は前記受信機からの回線に接続すると共に前記光警報装置と非常通報装置を別の回線を介して接続し、
前記制御用中継装置は、前記受信機から火災信号を受信した場合に光警報の制御信号を生成して前記光警報装置に送信して光警報を出力させ、前記警戒区域に設置した非常通報装置から非常通報信号を受信した場合に、非常通報信号を前記受信機に送信して非常通報を報知させると共に、前記非常通報信号を送信した前記非常通報装置に対応した警戒区域に設置している光警報装置を指定した光警報の制御信号を送信して光警報を出力させることを特徴とする警報システム。
【請求項１３】
請求項１２記載の警報システムに於いて、
前記警戒区域は複数の区画から形成され、
前記複数の区画の各々に無線通信機能を備えた光警報装置と非常通報装置を設置し、
前記複数の区画の何れかに設置した非常通報装置から非常通報信号を受信した場合に、非常通報信号を前記受信機に送信して非常通報を報知させると共に、前記非常通報信号を送信した前記非常通報装置と同じ区画に設置している光警報装置を指定した光警報の制御信号を送信して光警報を出力させることを特徴とする警報システム。
【請求項１４】
請求項１２記載の警報システムに於いて、
前記警戒区域の外側に前記光警報装置を設置し、
前記制御用中継装置は、前記受信機から火災信号を受信した場合又は前記非常通報装置から非常通報信号を受信した場合に、前記光警報装置に制御信号を送信して光警報を出力させることを特徴とする警報システム。
【請求項１５】
請求項１２乃至１４の何れかに記載の警報システムに於いて、
前記警戒区域内に前記制御装置と信号を授受する機能を備えた放火監視センサを設置し、
前記制御用中継装置は、前記放火監視センサから放火検出電文を受信した場合に制御信号を前記光警報装置に送信して光警報を出力させると共に、放火検出信号を前記受信機に送信して放火発生場所を特定した放火警報を出力させることを特徴とする警報システム。
【請求項１６】
請求項１２記載の警報システムに於いて、
前記複数の区画の各々に、前記制御用中継装置と信号を授受する機能を備えた人体センサと照明装置を設置し、
前記制御用中継装置は、前記複数の区画の何れかに設置した前記人体センサから人体検出信号を受信した場合に、前記人体センサと同じ区画に設置している前記照明装置を指定した照明オンの制御信号を送信して点灯させ、続いて、前記人体センサから人体非検出信号を受信した場合に、所定の遅延時間後に前記照明装置に照明オフの制御信号を送信して消灯させることを特徴とする警報システム。
【請求項１７】
複数の区画を有する施設に、外部装置と信号を授受する機能を備えた制御装置を設置すると共に、前記複数の区画の各々に前記制御装置と信号を授受する機能を備えた光警報装置と非常通報装置を設置し、
前記制御装置は、前記複数の区画の何れかに設置した非常通報装置から非常通報信号を受信した場合に、前記非常通報信号を送信した前記非常通報装置と同じ区画に設置している光警報装置を指定した光警報の制御信号を送信して光警報を出力させることを特徴とする警報システム。
【請求項１８】
請求項１７記載の警報システムに於いて、
前記施設内の前記区画を除く領域及び前記施設の外側に前記光警報装置を設置し、
前記制御装置は、前記非常通報装置から非常通報信号を受信した場合に、前記光警報装置に制御信号を送信して光警報を出力させることを特徴とする警報システム。
【請求項１９】
請求項１７又は１８記載の警報システムに於いて、
前記施設内に前記制御装置と信号を授受する機能を備えた放火監視センサを設置し、
前記制御装置は、前記放火監視センサから放火検出信号を受信した場合に制御信号を前記光警報装置に送信して光警報を出力させることを特徴とする警報システム。
【請求項２０】
請求項１７記載の警報システムに於いて、
前記複数の区画の各々に、前記制御装置と信号を授受する機能を備えた人体センサと照明装置を設置し、
前記制御装置は、前記複数の区画の何れかに設置した前記人体センサから人体検出信号を受信した場合に、前記人体センサと同じ区画に設置している前記照明装置を指定した照明オンの制御信号を送信して点灯させ、続いて、前記人体センサから人体非検出信号を受信した場合に、所定の遅延時間後に前記照明装置に照明オフの制御信号を送信して消灯させることを特徴とする警報システム。
【発明の詳細な説明】
【技術分野】
【０００１】
本発明は、トイレ個室等の区画毎に光警報装置を設置して光警報による火災の報知や非常通報に対する通報場所の表示等を行う警備システムに関する。
【背景技術】
【０００２】
従来、オフィスビル、店舗ビル、病院、ホテル等の建物には、火災を監視し、火災が発生した場合に、建物内の人々に異常の発生を報知するための警報システムとして、自動火災報知システムが設置されている。このような自動火災報知システムにおいては、火災発生の報知はブザー、ベル、メッセージ等の音響により行なわれるのが一般的である。また、この音響による報知と共に、ＬＥＤや赤色ランプ等を用いた表示報知も適宜行われる。
【０００３】
また、近年、火災発生を音響とともに視認性の高い高光度の白色光（フラッシュ光）を点滅することにより火災の発生を報知する警報システムも提案されている（例えば、特許文献１乃至３参照）。このような警報システムによれば、音響だけでなく強い光の点滅により火災発生を報知するため、例えば聴覚不自由者にも、災害の発生を早期に、且つ確実に認識させることができる。
【０００４】
また、配線による手間とコストを低減するため、無線式の警報システムも提案されている（例えば特許文献４参照）。無線式の警報システムは、火災受信機により火災感知器の火災発報を受信した場合に、中継器から警報指令信号（制御電文）を光警報装置に送信し、光警報装置は発光部を発光駆動し、所定の発光周期で発光を繰り返すことで光警報を出力する。
【０００５】
一方、オフィスビル、店舗ビル、病院、ホテル等の既設の建物にあっては、トイレ等に非常押釦装置や放火監視センサを設置し、警備員等が常時滞在している場所に警報盤を設置した警備システムを増設することが増えており、非常通報警報又は放火警報に対し警備員が現場に駆けつけて迅速且つ適切に対処できるようにしている。
【０００６】
また、オフィスビル、店舗ビル、病院、ホテル等の既設の建物にあっては、人体センサによりトイレ個室の照明をオン、照明オフの制御するシステムを導入し、節電を図るようにしている。
【先行技術文献】
【特許文献】
【０００７】
【特許文献１】実用新案登録第３１１３９４６号公報
【特許文献２】特開２００５−１６５７４０号公報
【特許文献３】特開２０１１−１９８１９４号公報
【特許文献４】特開２０１４−１８６４３０号公報
【発明の概要】
【発明が解決しようとする課題】
【０００８】
しかしながら、このように既設の建物に警備システムを増設するためには、警備員が常時滞在している場所に設置した警報盤とトイレ等に設置した非常押釦装置や放火監視センサとの間に配線の追加工事が必要となり、設備工事が大変でコストも嵩む問題がある。
【０００９】
また、非常通報警報に対し警備員が現場に駆けつけても、トイレ個室のような場合、非常押釦装置が押された場所を特定することが難しい場合があり、トイレ個室を１つ１つ確認する必要がある。
【００１０】
また、聴覚不自由者がトイレ個室等に入っている場合に、音響鳴動による火災警報があっても、火災の発生を知ることができない。この問題を解決するため、トイレエリア内に光警報装置を設置して火災時に光警報を行っても、ドアを閉じたトイレ個室内には点滅する光が十分に届かず、トイレ個室等を利用している聴覚不自由者が火災の発生に気付かない場合もある。
【００１１】
また、人体センサで照明をオン、オフするシステムを導入した場合にも、人体センサと照明装置との間の配線の追加工事が必要となり、更に、人体センサによる照明のオン、オフが節電にどの程度効果があるかは、照明装置をオン、オフしている様子がわからないことから、判断できない状況にある。
【００１２】
本発明は、個室として利用されるトイレ個室等の複数の区画を有する警戒区域の異常監視するシステムの増設を簡単に実現すると共に、光警報装置を利用して異常発生に対する対処を適切に行うことを可能とする警報システムを提供することを目的とする。
【００１３】
また、本発明は、人体センサによる照明制御の状況を簡単に把握して管理可能とする警報システムを提供することを目的とする。
【課題を解決するための手段】
【００１４】
［火災報知設備と連携した警報システム］
（警報システム）
本発明は、受信機から警戒区域に引き出した回線に火災感知器を接続し、火災感知器から火災信号を受信機で受信した場合に、火災発生場所を特定した火災警報を出力する警報システムに於いて、
警戒区域に、無線通信機能を備えた制御用中継装置を設置すると共に、無線通信機能を備えた光警報装置と非常通報装置を設置し、
制御用中継装置は、回線を介して受信機から火災信号を受信した場合に光警報の制御電文を光警報装置に送信して光警報を出力させ、警戒区域に設置した非常通報装置から非常通報電文を受信した場合に、非常通報信号を前記受信機に送信して非常通報を報知させると共に、非常通報電文を送信した非常通報装置に対応した警戒区域に設置している光警報装置を指定した光警報の制御電文を送信して光警報を出力させることを特徴とする。
【００１５】
（複数の区画毎の光警報）
警戒区域は複数の区画から形成され、
複数の区画の各々に無線通信機能を備えた光警報装置と非常通報装置を設置し、
複数の区画の何れかに設置した非常通報装置から非常通報電文を受信した場合に、非常通報信号を受信機に送信して非常通報を報知させると共に、非常通報電文を送信した非常通報装置と同じ区画に設置している光警報装置を指定した光警報の制御電文を送信して光警報を出力させる。
【００１６】
（警戒区域外側の光警報）
警戒区域の外側に前記光警報装置を設置し、
制御用中継装置は、受信機から火災信号を受信した場合又は非常通報装置から非常通報電文を受信した場合に、光警報装置に制御電文を送信して光警報を出力させる。
【００１７】
（放火監視センサ）
警戒区域内に無線通信機能を備えた放火監視センサを設置し、
制御用中継装置は、放火監視センサから放火検出電文を受信した場合に制御電文を光警報装置に送信して光警報を出力させると共に、放火検出信号を受信機に送信して放火発生場所を特定した放火警報を出力させる。
【００１８】
（人体検出による照明制御）
複数の区画の各々に、無線通信機能を備えた人体センサと照明装置を設置し、
制御用中継装置は、複数の区画の何れかに設置した人体センサから人体検出電文を受信した場合に、人体センサと同じ区画に設置している照明装置を指定した照明オンの制御電文を送信して点灯させ、続いて、人体センサから人体非検出電文を受信した場合に、所定の遅延時間後に照明装置に照明オフの制御電文を送信して消灯させる。
【００１９】
（照明装置の動作通知）
制御用中継装置は、照明装置の点灯消灯及び又は単位時間当りの点灯総計時間を示す信号を受信機に送信して表示及び又は記憶させる。
【００２０】
［火災報知設備と連携しない警報システム］
（警報システム）
また、本発明の別の形態にあっては、警報システムに於いて、
複数の区画を有する施設に、無線通信機能を備えた制御装置を設置し、施設及び施設の外側に無線通信機能を備えた光警報装置を設置すると共に、複数の区画の各々に、無線通信機能を備えた光警報装置と非常通報装置を設置し、
制御装置は、複数の区画の何れかに設置した非常通報装置から非常通報電文を受信した場合に、非常通報電文を送信した非常通報装置と同じ区画に設置している光警報装置を指定した光警報の制御電文を送信して光警報を出力させる。
【００２１】
（施設及び施設外側の光警報）
施設内の区画を除く領域及び施設の外側に光警報装置を設置し、
制御装置は、非常通報装置から非常通報電文を受信した場合に、光警報装置に制御電文を送信して光警報を出力させる。
【００２２】
（放火監視センサ）
施設内に放火監視センサを設置し、
制御装置は、放火監視センサから放火検出電文を受信した場合に制御電文を光警報装置に送信して光警報を出力させる。
【００２３】
（人体検出による照明制御）
複数の区画の各々に、無線通信機能を備えた人体センサと照明装置を設置し、
制御装置は、複数の区画の何れかに設置した人体センサから人体検出電文を受信した場合に、人体センサと同じ区画に設置している照明装置を指定した照明オンの制御電文を送信して点灯させ、続いて、人体センサから人体非検出電文を受信した場合に、所定の遅延時間後に照明装置に照明オフの制御電文を送信して消灯させる。
【００２４】
（照明装置の動作履歴記憶）
制御装置は、照明装置のオン、オフ動作及び又は単位時間当りの点灯総計時間を、所定の手順で記憶して、所定の手順で読み出す。
【００２５】
［有線式の火災報知設備と連携した警報システム］
（警報システム）
本発明の別の形態にあっては、受信機から警戒区域に引き出した回線に火災感知器を接続し、火災感知器から火災信号を受信機で受信した場合に、火災発生場所を特定した火災警報を出力する警報システムに於いて、
警戒区域に、外部装置と信号を授受する機能を備えた制御用中継装置を設置すると共に、制御用中継装置と信号を授受する機能を備えた光警報装置と非常通報装置を設置し、制御用中継装置は受信機からの回線に接続すると共に光警報装置と非常通報装置を別の回線を介して接続し、
制御用中継装置は、受信機から火災信号を受信した場合に光警報の制御信号を生成して光警報装置に送信して光警報を出力させ、警戒区域に設置した非常通報装置から非常通報信号を受信した場合に、非常通報信号を前記受信機に送信して非常通報を報知させると共に、非常通報信号を送信した非常通報装置に対応した警戒区域に設置している光警報装置を指定した光警報の制御信号を送信して光警報を出力させることを特徴とする。
【００２６】
（複数の区画毎の光警報）
警戒区域は複数の区画から形成され、
複数の区画の各々に無線通信機能を備えた光警報装置と非常通報装置を設置し、
複数の区画の何れかに設置した非常通報装置から非常通報信号を受信した場合に、非常通報信号を受信機に送信して非常通報を報知させると共に、非常通報信号を送信した非常通報装置と同じ区画に設置している光警報装置を指定した光警報の制御信号を送信して光警報を出力させる。
【００２７】
（警戒区域外側の光警報）
警戒区域の外側に前記光警報装置を設置し、
制御用中継装置は、受信機から火災信号を受信した場合又は非常通報装置から非常通報信号を受信した場合に、光警報装置に制御信号を送信して光警報を出力させる。
【００２８】
（放火監視センサ）
また、警戒区域内に制御装置と信号を授受する機能を備えた放火監視センサを設置し、
制御用中継装置は、放火監視センサから放火検出電文を受信した場合に制御信号を光警報装置に送信して光警報を出力させると共に、放火検出信号を受信機に送信して放火発生場所を特定した放火警報を出力させる。
【００２９】
（人体検出による照明制御）
また、複数の区画の各々に、制御装置と信号を授受する機能を備えた人体センサと照明装置を設置し、
制御用中継装置は、複数の区画の何れかに設置した人体センサから人体検出信号を受信した場合に、人体センサと同じ区画に設置している照明装置を指定した照明オンの制御信号を送信して点灯させ、続いて、人体センサから人体非検出信号を受信した場合に、所定の遅延時間後に照明装置に照明オフの制御信号を送信して消灯させる。
【００３０】
［有線式の火災報知設備と連携しない警報システム］
（警報システム）
本発明の別の形態にあっては、警報システムに於いて、
複数の区画を有する施設に、外部装置と信号を授受する機能を備えた制御装置を設置すると共に、複数の区画の各々に制御装置と信号を授受する機能を備えた光警報装置と非常通報装置を設置し、
制御装置は、複数の区画の何れかに設置した非常通報装置から非常通報信号を受信した場合に、非常通報信号を送信した非常通報装置と同じ区画に設置している光警報装置を指定した光警報の制御信号を送信して光警報を出力させることを特徴とする。
【００３１】
（施設及び施設外側の光警報）
施設内の区画を除く領域及び施設の外側に光警報装置を設置し、
制御装置は、非常通報装置から非常通報信号を受信した場合に、光警報装置に制御信号を送信して光警報を出力させる。
【００３２】
（放火監視センサ）
また、施設内に制御装置と信号を授受する機能を備えた放火監視センサを設置し、
制御装置は、放火監視センサから放火検出信号を受信した場合に制御信号を光警報装置に送信して光警報を出力させる。
【００３３】
（人体検出による照明制御）
また、複数の区画の各々に、制御装置と信号を授受する機能を備えた人体センサと照明装置を設置し、制御装置は、複数の区画の何れかに設置した人体センサから人体検出信号を受信した場合に、人体センサと同じ区画に設置している照明装置を指定した照明オンの制御信号を送信して点灯させ、続いて、人体センサから人体非検出信号を受信した場合に、所定の遅延時間後に照明装置に照明オフの制御信号を送信して消灯させる。
【００３４】
（トイレエリアとトイレ個室）
警戒区域は施設のトイレエリアであり、区画はトイレ個室である。
【発明の効果】
【００３５】
（警報システムの基本的な効果）
本発明は、受信機から警戒区域に引き出した回線に火災感知器を接続し、火災感知器から火災信号を受信機で受信した場合に、火災発生場所を特定した火災警報を出力する警報システムに於いて、警戒区域に、無線通信機能を備えた制御用中継装置を設置すると共に、無線通信機能を備えた光警報装置と非常通報装置を設置し、制御用中継装置は、回線を介して受信機から火災信号を受信した場合に光警報の制御電文を光警報装置に送信して光警報を出力させ、警戒区域に設置した非常通報装置から非常通報電文を受信した場合に、非常通報信号を前記受信機に送信して非常通報を報知させると共に、非常通報電文を送信した非常通報装置に対応した警戒区域に設置している光警報装置を指定した光警報の制御電文を送信して光警報を出力させるようにしたため、警戒区域に設けた非常通報装置の押釦操作による通報信号を受信機に送って非常通報警報を出し、受信機設置場所に常駐している警備員による対処を可能とし、警報盤の新たな設置や、警報盤と非常通報装置との間の配線工事を必要とすることなく、自動火災報知システムとの連携で、非常通報による警備システムを簡単に増設することを可能とする。
【００３６】
（複数の区画毎の光警報による効果）
また、警戒区域は複数の区画から形成され、複数の区画の各々に無線通信機能を備えた光警報装置と非常通報装置を設置し、複数の区画の何れかに設置した非常通報装置から非常通報信号を受信した場合に、非常通報信号を受信機に送信して非常通報を報知させると共に、非常通報信号を送信した非常通報装置と同じ区画に設置している光警報装置を指定した光警報の制御信号を送信して光警報を出力させるようにしたため、例えばトイレ個室等の区画からの非常通報に対し、同じトイレ個室に設けている光警報器を所定周期で発光駆動して光警報を出力するようにしているため、非常通報警報を受けて現場に駆け付けた警備員は、光警報から非常通報を行ったトイレ個室を確認して迅速且つ適切に対処することを可能とする。
【００３７】
また、自動火災報知システムで火災を検出した場合、トイレ個室毎に設置している光警報装置を発光駆動して光警報を出力するため、聴覚不自由者がトイレ個室等に利用している場合に、火災の発生を確実に認識させることを可能とする。
【００３８】
この点は、トイレ個室以外に、漫画喫茶、インターネットカフェ、個室ビデオボックスといった個室等の区画を有する適宜の警戒区域についても同様の効果が得られる。
【００３９】
（警戒区域外側の光警報による効果）
また、警戒区域の外側に前記光警報装置を設置し、制御用中継装置は、受信機から火災信号を受信した場合又は非常通報装置から非常通報信号を受信した場合に、光警報装置に制御信号を送信して光警報を出力させるようにしたため、警戒区域の外側、例えばトイレエリアの外側に設置した光警報装置の光警報によって、警戒区域となるトイレエリア内で起きた異常を外側から知ることができ、この光警報を見て係員に通報する等により迅速に対処可能とする。
【００４０】
（放火監視センサ）
また、警戒区域内に無線通信機能を備えた放火監視センサを設置し、制御用中継装置は、放火監視センサから放火検出電文を受信した場合に制御電文を光警報装置に送信して光警報を出力させると共に、放火検出信号を受信機に送信して放火発生場所を特定した放火警報を出力させるようにしたため、例えば既設のＲ型火災報知システムの回線に接続した制御用中継装置を経由して、トイレ等の監視エリアに設けた放火監視センサからの放火検出信号を受信機に送って放火警報を出し、受信機設置場所に常駐している警備員による対処を可能とし、警報盤の新たな設置や、警報盤と非常通報装置との間の配線工事を必要とすることなく、自動火災報知システムとの連携で、放火警報を行う警報システムを簡単に構築することを可能とする。
【００４１】
また、トイレ等の監視エリアからの放火検出に対し、トイレエリア及びトイレ個室に設けている光警報装置を所定周期で発光駆動して光警報を出力することで、放火を行っている不審者に対し光警報による威嚇が可能となり、光警報に驚いた不審者が放火を止めて逃走するといった状況が期待できる。
【００４２】
（人体検出による照明制御の効果）
また、複数の区画の各々に、無線通信機能を備えた人体センサと照明装置を設置し、制御用中継装置は、複数の区画の何れかに設置した人体センサから人体検出電文を受信した場合に、人体センサと同じ区画に設置している照明装置を指定した照明オンの制御電文を送信して点灯させ、続いて、人体センサから人体非検出電文を受信した場合に、所定の遅延時間後に照明装置に照明オフの制御電文を送信して消灯させるようにしたため、受信用制御装置の無線通信による制御機能を利用して、トイレ個室等に配線工事を必要とすることなく、人体センサにより照明装置をオン、オフする照明制御システムを簡単に設置することを可能とする。
【００４３】
（照明装置の動作通知による効果）
また、制御用中継装置は、照明装置を点灯とした場合に点灯通知信号を受信機に送信し、照明装置を消灯した場合に消灯通知信号を受信機に送信して表示及び又は記憶させるようにし、また、照明装置の単位時間当りの点灯総計時間を受信機に送信して表示及び又は記憶させるようにしたため、トイレ個室等に人体センサにより照明装置をオン、オフする照明制御システムを設置した場合、自動火災報知システムの受信機に照明装置のオン、オフ動作を表示したり、単位時間当たりの点灯総計時間を表示または記憶させることで、人体センサにより制御している照明装置の動作状況を受信機側で把握して節電効果の度合を判断可能とする。
【００４４】
［火災報知設備と連携しない警報システムの効果］
（警報システムの基本的な効果）
本発明の別の形態にあっては、警報システムに於いて、複数の区画を有する施設に、無線通信機能を備えた制御装置を設置すると共に、複数の区画の各々に無線通信機能を備えた光警報装置と非常通報装置を設置し、制御装置は、複数の区画の何れかに設置した非常通報装置から非常通報電文を受信した場合に、非常通報電文を送信した非常通報装置と同じ区画に設置している光警報装置を指定した光警報の制御電文を送信して光警報を出力させ、更に、施設内の区画を除く領域及び施設の外側に光警報装置を設置し、制御装置は、非常通報装置から非常通報電文を受信した場合に、施設及び施設の外側に設置した光警報装置に制御電文を送信して光警報を出力させるようにしたため、例えば屋外に設置しているトイレ施設のトイレ個室に設けた非常通報装置からの非常通報信号により同じトイレ個室に設けている光警報器及びトイレ施設の外側に設置している光警報装置を所定周期で発光駆動して光警報を出力することで、巡回している警備員が光警報を見て駆けつけたり、トイレ施設の外側の光警報を見た人が警察等の関係機関に通報することを可能とし、また、トイレ施設に駆け付けた関係者は、光警報から非常通報を行ったトイレ個室を確認して迅速且つ適切に対処することを可能とする。
【００４５】
（放火監視センサによる効果）
また、施設内に放火監視センサを設置し、制御装置は、放火監視センサから放火検出電文を受信した場合に制御電文を光警報装置に送信して光警報を出力させるようにしたため、放火検出により例えばトイレ施設の外側に設置している光警報装置を発光駆動して光警報を出力することで、巡回している警備員が光警報を見て駆けつけたり、トイレ施設の外側の光警報をみた人が警察等の関係機関に通報することを可能とし、放火検出に対し迅速且つ適切に対処することを可能とする。
【００４６】
また、トイレ等の監視エリアの放火検出に対し、トイレ施設及びトイレ個室に設けている光警報器を所定周期で発光駆動して光警報を出力することで、放火を行っている不審者に対し光警報による威嚇が可能となり、光警報に驚いた不審者が放火を止めて逃走するといった状況が期待できる。
【００４７】
（人体検出による照明制御の効果）
また、複数の区画の各々に、無線通信機能を備えた人体センサと照明装置を設置し、制御装置は、複数の区画の何れかに設置した人体センサから人体検出電文を受信した場合に、人体センサと同じ区画に設置している照明装置を指定した照明オンの制御電文を送信して点灯させ、続いて、人体センサから人体非検出電文を受信した場合に、所定の遅延時間後に照明装置に照明オフの制御電文を送信して消灯させるようにしたため、制御装置の無線通信による制御機能を利用して、トイレ個室等に配線工事を必要とすることなく、人体センサにより照明装置をオン、オフする照明制御システムを簡単に設置することができる。
【００４８】
（照明装置の動作通知による効果）
また、制御装置は、照明装置のオン、オフ動作及び又は単位時間当りの点灯総計時間を、所定の手順で記憶し、所定の手順で読み出すようにしたため、トイレ個室等に人体センサにより照明装置をオン、オフする照明制御システムを設置した場合、例えば制御装置に記憶した単位時間当たりの点灯総計時間を、係員読み出して確認することで、人体センサにより制御している照明装置の動作状況を把握して節電効果の度合を判断可能とする。
【００４９】
［有線式の警報システムの効果］
有線式の火災報知設備と連携する警報システム及び火災報知設備と連携しない警報システムの効果は、前述した無線式の警報システムの効果から配線工事を不要とする効果を除いた効果と基本的に同じになる。
【図面の簡単な説明】
【００５０】
【図１】自動火災報知システムと連携した無線式の警戒システムの実施形態を示したブロック図
【図２】トイレエリアに対するシステム機器の設置を平面で示した説明図
【図３】図１の警報システムを構成する機器の機能構成を示したブロック図
【図４】図１の警報システムに設けた制御用中継装置の制御動作を示したフローチャート
【図５】自動火災報知システムと連携しない無線式の警戒システムの実施形態を示したブロック図
【図６】図５の警報システムを構成する機器の機能構成を示したブロック図
【図７】自動火災報知システムと連携した有線式の警戒システムの機能構成を示したブロック図
【図８】自動火災報知システムと連携しない有線式の警戒システムの実施形態を示したブロック図
【発明を実施するための形態】
【００５１】
［自動火災報知システムと連携した警報システム］
（警報システムの構成）
図１は自動火災報知システムと連携した無線式の警戒システムの実施形態を示したブロック図、  図２はトイレエリアに対するシステム機器の設置を平面で示した説明図であり、本実施形態の警報システムは、Ｒ型の自動火災報知システムとの連携を例にとっている。
【００５２】
（Ｒ型の自動火災報知システム）
Ｒ型の自動火災報知システムは、防災センタ等に設置したＲ型の受信機１０から監視対象とする建物の警戒区域に向けて伝送回線１２を引き出し、伝送回線１２に回線伝送機能を備えたＲ型の火災感知器１４を接続し、また、回線伝送機能を備えた中継器１６を介して引き出したＰ型の感知器回線１５にＰ型の火災感知器２０を接続し、更に、中継器１６を介して有線式の光警報装置３０を接続している。なお、伝送回線１２には、これ以外に回線伝送機能を備えた中継器を介して発信機やガス漏れ警報器等の検出器や、地区音響装置等の制御装置が必要に応じて接続される。
【００５３】
伝送回線１２に接続した火災感知器１４や中継器１６を含む端末機器には固有のアドレスが予め割り当てられており、１回線当りの最大アドレスは例えば５１２アドレスであり、最大アドレスを超える端末機器を接続する場合は、伝送回線１２の数を増やす。
【００５４】
Ｒ型の受信機１０による火災監視は次のようになる。受信機１０は例えば１分周期で一括ＡＤ変換コマンド信号を伝送回線１２に送信し、全てのＲ型の火災感知器１４はセンサ部で検出している温度又は煙濃度のアナログ信号をデジタルデータに変換して保持する。続いて受信機１０は感知器アドレスを順次指定したポーリングコマンド信号を送信し、火災感知器１４の各々から温度データ又は煙濃度データを収集している。
【００５５】
火災感知器１４のセンサ部で検出している温度又は煙濃度が所定の火災レベルを超えると火災発報が検出され、伝送回線１２に火災割込み信号が送信される。受信機１０は伝送回線１２から火災割込み信号を受信すると、グループ検索コマンド信号を送信して火災発報のあったＲ型の火災感知器１４を含む感知器グループを特定し、続いてグループ内検索コマンド信号を送信して火災発報のあった火災感知器１４のアドレスを取得し、火災発報場所を特定した火災警報を出力すると共に、出火階及び直上階に設置した地区音響警報用の中継器のアドレスを指定して地区音響制御信号を送信して地区音響警報を出力させる。
【００５６】
また、受信機１０は、火災発報のあった火災感知器１４のアドレスを指定して集中的に温度データ又は煙濃度データを収集し、火災の進展状況を監視する。
【００５７】
また、受信機１０は火災警報の出力に伴い光警報装置１８を接続した中継器１６のアドレスを指定して光警報の制御信号を送信し、中継器１６からの制御信号により光警報装置１８の発光部を所定周期で発光駆動して光警報を出力させる。
【００５８】
（トイレエリアの監視）
このようなＲ型の自動火災報知システムを利用し、本実施形態にあっては、建物のトイレエリア２２に、監視用のシステム機器を設置し、異常を監視するようにしている。
【００５９】
監視対象とするトイレエリア２２は例えば図２に示すように、女子トイレ２２ａと男子トイレ２２ｂに分かれており、それぞれ複数のトイレ個室２４を備えている。トイレ個室２４には光警報装置３０、非常通報装置として機能する非常押釦装置３２、人体センサ３４、及び照明装置３６をシステム機器として設置している。ここで、トイレ個室２４に設置した光警報装置３０は個室内部及び個室外の両方から光警報が見えるように設置している。
【００６０】
またトイレ個室２４の外部となるトイレ共用部２６には、図１の受信機１０からの伝送回線１２に接続した制御用中継装置２８を設置し、光警報装置３０と放火監視センサ３８を設置している。光警報装置２８はトイレエリア２２の出入口に近い外側にも設置している。また受信機１０からの伝送回線１２に接続したＲ型の火災感知器１４も設置している。
【００６１】
図１のトイレエリア２２は、図２の女子トイレ２２ａに設置した制御用中継装置２８、光警報装置３０、非常押釦装置３２、人体センサ３４、照明装置３６及び放火監視センサ３８を示しており、それぞれ無線通信機能を備え、制御用中継装置２８と光警報装置３０、非常押釦装置３２、人体センサ３４、照明装置３６及び放火監視センサ３８との間で各種の電文を送受信可能としている。
【００６２】
制御用中継装置２８は受信機１０からの伝送回線１２に接続しており、無線通信機能に加え、受信機１０との間で信号を送受信する回線伝送機能を備え、信号伝送に必要なアドレスが予め割り当てられている。
【００６３】
光警報装置３０は制御用中継装置２８から光警報の制御電文を受信した場合に、所定の発光周期で発光部を発光して光警報を出力する。非常押釦装置３２はトイレの利用中に操作可能な場所に押釦スイッチを配置し、押釦操作を行うと非常通報電文を制御用中継装置２８に送信する。
【００６４】
人体センサ３４は人体から放射される赤外線を検出し、人体検出電文を制御用中継装置２８に送信する。照明装置３６は制御用中継装置２８から照明オンの制御電文を受信して照明器具を点灯し、その後に、照明オフの制御電文を受信すると点灯している照明器具を消灯する。なお、トイレ共用部にも照明装置４０を設置しているが、これは無線通信機能をもたず、スイッチ操作によりオン、オフする。
【００６５】
放火監視センサ３８はライタ等の着火による大きさ程度の炎を検出して放火検出電文を制御用中継装置２８に送信する。
【００６６】
制御用中継装置２８は、例えば、
（１）火災発報に対する光警報制御、
（２）非常通報に対する光警報制御
（３）放火検出に対する光警報制御
（４）人体検出に対する照明制御、
となる制御機能を備える。これらの制御機能は初期設定により全ての制御機能を選択して設定できるし、また、必要に応じて１又は複数の制御機能を選択して設定することができる。
【００６７】
［警報システムの機能構成］
図３は図１の警報システムを構成する機器の機能構成を示したブロック図である。
【００６８】
（Ｒ型受信機）
Ｒ型の受信機１０は、制御部４２を備え、制御部４２に対し伝送部４４、表示部４６、操作部４８、警報部５０及び移報部５２を設けている。
【００６９】
制御部４２は、例えばプログラムの実行により実現される機能であり、ハードウェアとしてはＣＰＵ、メモリ、各種の入出力ポート等を備えたコンピュータ回路等を使用する。
【００７０】
伝送部４４は伝送回線１２を介して接続した火災感知器１４、中継器１６およびトイレエリア２２に設けた制御用中継装置２８との間で信号の送受信をシリアル伝送により所定のデータ伝送速度で行う。
【００７１】
表示部４６には、火災代表灯、地区表示灯、その他火災監視に必要な各種の表示灯や液晶ディスプレイ等を設けている。操作部４８には、主音響停止スイッチ、地区音響停止スイッチ、移報停止スイッチ、点検スイッチ等の火災監視に必要な各種のスイッチを設けている。警報部５０はブザーやスピーカを備え、音響警報やメッセージ警報を出力する。移報部５２は他の機器に火災移報信号を出力する。
【００７２】
（制御用中継装置）
制御用中継装置２８は、制御部５４、伝送回線１２を接続した伝送部５６及びアンテナ６０を接続した通信部５８を備え、受信機１０からの電源又は専用電源で動作する。
【００７３】
制御部５４は、例えばプログラムの実行により実現される機能であり、ハードウェアとしてはＣＰＵ、メモリ、各種の入出力ポート等を備えたコンピュータ回路等を使用する。
【００７４】
伝送部５６は伝送回線１２を介して接続した受信機１０との間で信号の送受信をシリアル伝送により所定のデータ伝送速度で行う。
【００７５】
通信部５８はトイレエリア内に設置している光警報装置３０、非常押釦装置３２、人体センサ３４、照明装置３６及び放火監視センサ３８との間で電文の送受信を行う。通信部５８は、日本国内の場合には例えば４００ＭＨｚ帯の特定小電力無線局の標準規格に従った無線通信を行っており、４２６．２５００ＭＨｚ〜４２６．８３７５ＭＨｚの１２．５ＫＨｚの帯域を持つ４８チャンネルの何れかの使用を可能とする。
【００７６】
ここで、制御用中継装置１６から送信する電文の信号形式は、スタートコード、送信元ＩＤ（送信元アドレス）、通信制御コード、制御情報、及びチェックサムで構成している。また、制御電文のサイズは１００ビット程度となる。
【００７７】
また、通信部５８は、電文を送信する場合、所定の送信時間Ｔ１と送信休止時間Ｔ２からなる送信周期Ｔ０を複数回、例えば３回設定し、各送信時間Ｔ１の間に電文の送信を複数回、例えば４個の制御電文の送信を３回に分けて繰り返す。
【００７８】
制御部５４は前述した（１）〜（４）の制御を次のようにして行う。
【００７９】
（火災発報に対する光警報制御）
制御部５４は、伝送回線１２を介して受信機１０から火災信号を受信した場合、光警報の制御電文を生成してトイレ個室２４の光警報装置３０に送信して光警報を出力させる制御を行う。このため、聴覚不自由者がトイレ個室等に利用している場合であっても、光警報装置３０の発光駆動による光警報により火災の発生を確実に知って迅速な対処を可能とする。
【００８０】
（非常通報に対する光警報制御）
また、制御部５４は、トイレ個室２４の何れかに設置した非常押釦装置３２から非常通報電文を受信した場合に、伝送路１２を介して非常通報信号を受信機１０に送信して非常通報警報を出力させると共に、非常通報電文を送信した非常押釦装置３２と同じトイレ個室２４に設置している光警報装置３２のアドレスを指定した光警報の制御電文を送信して光警報を出力させる制御を行う。
【００８１】
このため、受信機１０を設置した防災センタ等に常駐している警備員は、非常通報警報を受けて現場に駆け付け、発光駆動している光警報装置３０から非常通報を行ったトイレ個室等を確認して迅速且つ適切に対処することを可能とする。
【００８２】
なお、受信機１０に対する非常通報信号の送信は、Ｒ型の火災感知器１４と同様に、非常通報の割込み信号を送信し、この割込み信号に対し受信機１０はグループ検索コマンド信号及びグループ内検索コマンド信号を送信して制御用中継装置２８を特定し、非常通報信号を受信する。
【００８３】
（放火検出に対する光警報制御）
また、制御部５４は、放火監視センサ３８から放火検出電文を受信した場合に警報制御電文をトイレエリア２２の共用エリア及びトイレ個室２４に設けた光警報装置３０に送信して光警報を出力させると共に、放火検出信号を、非常通報信号の場合と同様にして受信機１０に送信して火災発生場所を特定した放火警報を出力させる制御を行う。
【００８４】
このため、Ｒ型受信機１０を設置した防災センタ等に常駐している警備員は、放火警報を受けて現場に駆け付け、初期消火等を行って火災の拡大を未然に防止すること可能とする。
【００８５】
また、放火検出に対応してトイレ共用部２６及びトイレ個室２４に設けている光警報装置３０が発光駆動して光警報を出力することで、放火を行っている不審者は光警報による威嚇を受け、光これに驚いた不審者が放火を止めて逃走するといった状況が期待できる。
【００８６】
（人体検出に対する照明制御）
また、制御部５４は、トイレ個室２４に設置した人体センサ３４から検出オン電文（人体検出電文）を受信した場合に、この人体センサ３４と同じトイレ個室２４に設置している照明装置３６のアドレスを指定した照明オンの制御電文を送信して点灯させ、続いて、人体センサ３４から検出オフ電文（人体非検出電文）を受信した場合に、所定の遅延時間後に照明装置３６に照明オフの制御電文を送信して消灯させる制御を行う。
【００８７】
このため制御用中継装置２８の無線通信による制御機能を利用して、トイレ個室２４等に配線工事を必要とすることなく、人体センサ３４により照明装置３６をオン、オフする照明制御システムを簡単に構築することができる。
【００８８】
また、制御部５４は、照明装置３６のオン、オフ動作及び又は単位時間当りの点灯総計時間を示す信号を受信機１０に送信して表示及び又は記憶させる制御を行う。このため、トイレ個室１４に人体センサ３４により照明装置３６をオン、オフする照明制御機能を設けた場合、Ｒ型受信機１０側で照明装置３６のオンオフ動作を表示により確認でき、また、単位時間当たりの点灯総計時間を係員が読み出して確認することで、人体センサ３４により制御している照明装置３６の動作状況を把握し、節電効果の度合を判断可能とする。
【００８９】
（光警報装置）
光警報装置３０は、制御部６２、アンテナ６６を接続した通信部６４、及び発光部６８を備え、図示しない電池電源により動作する。
【００９０】
制御部６２は、例えばプログラムの実行により実現される機能であり、ハードウェアとしてはＣＰＵ、メモリ、各種の入出力ポート等を備えたコンピュータ回路等を使用する。
【００９１】
通信部６４はトイレエリアに設置している制御用中継装置２８との間で電文の送受信を行い、制御用中継装置２８と同じ４００ＭＨｚ帯の特定小電力無線局の標準規格に従った無線通信を行う。
【００９２】
また、通信部６４は通常監視状態で間欠受信を行っている。通信部６４による間欠受信の周期は、制御用中継装置２８の通信部５８による送信時間Ｔ１に対応する所定周期に設定し、この間欠受信周期毎にキャリアセンス行い、キャリアセンスができれば継続受信に切り替えて制御用中継装置２８からの電文受信を可能とする。
【００９３】
発光部６８には高輝度ＬＥＤやフラッシュライト等とその駆動回路を設けており、制御部６２から発光指示を受けた場合、予め設定した発光周期Ｔｆ、例えばＴｆ＝２秒の周期で例えば１００ミリ秒の発光時間となる点滅を繰り返す。
【００９４】
制御部６２は、通信部６４を介して制御用中継装置２８からの光警報の制御電文の受信した場合、発光部６８に発光駆動を指示する制御を行い、発光部６８に発光周期Ｔｆ毎に発光駆動を繰り返して光の点滅により光警報を出力する動作を行わせる。
【００９５】
（非常押釦装置）
非常押釦装置３２は、制御部７０、アンテナ７５を接続した通信部７４、及びスイッチ部７２を備え、図示しない電池電源により動作する。スイッチ部７２は押釦操作でオンし、制御部７０はスイッチ部７２のオン信号を検出して非常通報信号を通信部７０に出力し、通信部７４は非常通報電文を、４００ＭＨｚ帯の特定小電力無線局の標準規格に従って送信する。
【００９６】
（人体センサ）
人体センサ３４は、制御部７６、アンテナ８２を接続した通信部８０、及びセンサ部７８を備え、図示しない電池電源により動作する。制御部７６はセンサ部７８に設けた焦電素子等により人体から放射される赤外線エネルギーを検出して人体検出信号を通信部８０に出力し、通信部８０は検出オン電文を、４００ＭＨｚ帯の特定小電力無線局の標準規格に従って送信する。また、制御部７６は、センサ部７８から出力している人体検出信号が停止すると、通信部８０に指示して検出オフ電文を送信する。
【００９７】
（照明装置）
照明装置３６は、制御部８４、アンテナ８８を接続した通信部８６、及び照明部９０を備え、商用電源により動作する。通信部８６は４００ＭＨｚ帯の特定小電力無線局の標準規格に従って電文を受信する。制御部８４は、人体センサ３４の人体検出のオン、オフに基づき制御用中継装置２８からの照明オンの制御電文の通信部８６による受信を検出すると照明部９０をオンし、その後、照明オフの制御電文の受信を検出すると所定の遅延時間を経過した後に照明部９０をオフする。
【００９８】
（放火監視センサ）
放火監視センサ３８は、制御部９２、アンテナ９８を接続した通信部９６、及びセンサ部９４を備え、図示しない電池電源又は商用電源により動作する。センサ部９４は焦電素子やＵＶトロン（登録商標）等により炎から放射される赤外線や紫外線のエネルギーを検出して炎検出信号を出力する。制御部９２はセンサ部９４からの炎検出信号のレベルからライタの炎以上の大きさの炎を判定して放火検出信号を出力し、通信部９６は放火検出電文を、４００ＭＨｚ帯の特定小電力無線局の標準規格に従って送信する。
【００９９】
［警報システムの制御動作］
図４は図１の警報システムに設けた制御用中継装置の制御動作を示したフローチャートである。
【０１００】
図４に示すように、受信用制御装置２８の制御部５４は、ステップＳ１でトイレ個室２４に設置した人体センサ３４から人体検出に基づく検出オン電文を受信した場合に、ステップＳ２で人体センサ３４と同じトイレ個室２４に設置している照明装置３６のアドレスを指定した照明オンの制御電文を送信して点灯させる。
【０１０１】
続いて、ステップＳ３で人体センサ３４から人体検出の停止に基づく検出オフ電文を受信した場合に、所定の遅延時間後に照明装置３６に照明オフの制御電文を送信して消灯させる。なお、ステップＳ２、Ｓ４で制御した照明装置３６のオン、オフを示す信号を受信機１０に送信して表示させ、また、１時間当りの点灯総計時間を示す信号をＲ型受信機１０に送信して記憶させている。
【０１０２】
また、制御部５４は、ステップＳ５で受信機１０から火災信号を受信すると、ステップＳ６で光警報の制御電文をトイレ個室２４及びトイレ共用部２６の光警報装置３０に送信して光警報を出力させる。続いてステップＳ７でＲ型受信機１０から火災復旧信号を受信すると、ステップＳ８で警報停止の制御電文を送信し、トイレ個室２４及びトイレ共用部２６の光警報装置３０の光警報を停止させる。
【０１０３】
また、制御部５４は、ステップＳ９でトイレ個室２４の非常押釦装置３２から非常通報電文を受信すると、ステップＳ１０で非常通報電文を送信した非常押釦装置３２と同じトイレ個室２４に設置している光警報装置３０に光警報の制御電文を送信して光警報を出力させ、また、ステップＳ１１で非常通報信号を受信機１０に送信して非常通報警報を出力させる。
【０１０４】
続いてステップＳ１２で受信機１０から非常通報復旧信号を受信すると、ステップＳ１３で光警報停止の制御電文をトイレ個室２４の光警報装置３０に送信して光警報を停止させる。
【０１０５】
また、制御部５４は、ステップＳ１４で放火監視センサ３８から放火検出電文を受信すると、ステップＳ１５に進んで光警報の制御電文をトイレエリア２２のトイレ個室２４及びトイレ共用部２６に設けた光警報装置３０に送信して光警報を出力させると共に、ステップＳ１６で放火検出信号を受信機１０に送信して発生場所を特定した放火警報を出力させる。
【０１０６】
その後、ステップＳ１７で受信機１０から放火復旧信号を受信すると、ステップＳ１８で光警報停止の制御電文をトイレ個室２４及びトイレ共用部２６の光警報装置３０に送信して光警報を停止させる。
【０１０７】
［自動火災報知システムと連携しない独立した警報システム］
図５は自動火災報知システムと連携しない無線式の警戒システムの実施形態を示したブロック図である。
【０１０８】
（トイレエリアの監視）
本実施形態の警報システムが監視するエリアは、公園などの屋外に設置した自動火災報知システムを設置していない施設であり、例えば屋外に設置している公衆トイレ等を監視対象としている。
【０１０９】
図５に示すように、監視対象とするトイレ施設１００は、図２に示したと同様に、女子トイレ２２ａと男子トイレ２２ｂに分かれており、図５は女子トイレ２２ａを例にとっている。
【０１１０】
女子トイレ２２ａには、制御装置１０２、光警報装置３０、非常押釦装置３２、人体センサ３４、照明装置３６及び放火監視センサ３８を設置しており、それぞれ無線通信機能を備え、制御装置１００と光警報装置３０、非常押釦装置３２、人体センサ３４、照明装置３６及び放火監視センサ３８との間で各種の電文を送受信可能としている。
【０１１１】
制御装置１０２は、図１の受信用制御装置２８に相当するが、自動火災報知システムとは連携しておらず、独立した装置としてトイレエリア２２に設置している。
【０１１２】
制御装置１０２は、例えば、
（Ａ）非常通報に対する光警報制御
（Ｂ）放火検出に対する光警報制御
（Ｃ）人体検出に対する照明制御、
となる制御機能を備える。これらの制御機能は初期設定により全ての制御機能を選択して設定できるし、また、必要に応じて１又は複数の制御機能を選択して設定することができる。
【０１１３】
［警報システムの機能構成］
図６は図５の警報システムを構成する機器の機能構成を示したブロック図である。図６に示すように、光警報装置３０、非常押釦装置３２、人体センサ３４、照明装置３６及び放火監視センサ３８の機能構成は、図３と同じになることから、同一符号を付して説明を省略する。
【０１１４】
制御装置１００は、受信機１０からの伝送回線１２に接続していない点で、図３の機能構成と相違し、制御部５４、アンテナ６０を接続した通信部５８及び操作表示部１０４を備え、商用電源で動作する。
【０１１５】
制御部５４は、例えばプログラムの実行により実現される機能であり、ハードウェアとしてはＣＰＵ、メモリ、各種の入出力ポート等を備えたコンピュータ回路等を使用する。
【０１１６】
通信部５８はトイレエリア内に設置している光警報装置３０、非常押釦装置３２、人体センサ３４、照明装置３６及び放火監視センサ３８との間で、例えば４００ＭＨｚ帯の特定小電力無線局の標準規格に従った無線通信を行う。
【０１１７】
また、通信部５８は、電文を送信する場合、所定の送信時間Ｔ１と送信休止時間Ｔ２からなる送信周期Ｔ０を複数回、例えば３回設定し、各送信時間Ｔ１の間に電文の送信を複数回、例えば４個の制御電文の送信を３回に分けて繰り返す。
【０１１８】
制御部５４は前述した（Ａ）〜（Ｂ）の制御を次のようにして行う。
【０１１９】
（非常通報に対する光警報制御）
制御部５４は、トイレ個室２４の何れかに設置した非常押釦装置３２から非常通報電文を受信した場合に、屋外に設置している光警報装置３０及び非常通報電文を送信した非常押釦装置３２と同じトイレ個室２４に設置している光警報装置３２のアドレスを指定した光警報の制御電文を送信して光警報を出力させる制御を行う。
【０１２０】
このため、巡回している警備員が屋外に設置した光警報装置３０による光警報を見て駆けつけたり、屋外の光警報をみた人が警察等の関係機関に通報することを可能とし、また、トイレ施設１００に駆けつけた関係者は、光警報から非常通報を行ったトイレ個室２４を確認して迅速且つ適切に対処することを可能とする。
【０１２１】
（放火検出に対する光警報制御）
また、制御部５４は、放火監視センサ３８から放火検出電文を受信した場合に光警報の制御電文を屋外及びトイレ個室２４に設けた光警報装置３０に送信して光警報を出力させる制御を行う。
【０１２２】
このため、巡回している警備員が屋外に設置した光警報装置３０による光警報を見て駆け付けたり、屋外の光警報を見た人が警察等の関係機関に通報することを可能とし、初期消火等を行って火災の拡大を未然に防止すること可能とする。
【０１２３】
また、放火検出に対応して屋外及びトイレ個室２４に設けている光警報装置３０が発光駆動して光警報を出力することで、放火を行っている不審者は光警報による威嚇を受け、光これに驚いた不審者が放火を止めて逃走するといった状況が期待できる。
【０１２４】
（人体検出に対する照明制御）
また、制御部５４は、トイレ個室２４に設置した人体センサ３４から人体検出を示す検出オン電文を受信した場合に、この人体センサ３４と同じトイレ個室２４に設置している照明装置３６のアドレスを指定した照明オンの制御電文を送信して点灯させる。続いて、制御部５４は、人体センサ３４から人体非検出を示す検出オフ電文を受信した場合に、所定の遅延時間後に照明装置３６に照明オフの制御電文を送信して消灯させる制御を行う。
【０１２５】
この場合にも、制御装置１００の無線通信による制御機能を利用して、トイレ個室２４等に配線工事を必要とすることなく、人体センサ３４により照明装置３６をオン、オフする照明制御システムを簡単に構築することができる。
【０１２６】
また、制御部５４は、照明装置３６のオン、オフ動作の履歴及び又は単位時間当りの点灯総計時間を記憶させる制御を行う。このため、係員が制御装置１０２から照明オン、オフの動作履歴や単位時間当たりの点灯総計時間を係員読み出して確認することで、人体センサ３４により制御している照明装置３６の動作状況を把握し、節電効果の度合を判断可能とする。
【０１２７】
［有線式の警報システム］
（自動火災報知システムと連携した有線式警報システム）
図７は自動火災報知システムと連携した有線式の警戒システムの機能構成を示したブロック図である。
【０１２８】
図７に示すように、トイレエリアに設置した制御用中継装置２８はＲ型の受信機１０からの伝送回線１２に接続すると共に、トイレエリアに対し別の伝送回線１０６を引き出し、伝送回線１０６に光警報装置３０、非常押釦装置３２、人体センサ３４、照明装置３６及び放火監視センサ３８を接続している。
【０１２９】
制御用中継装置２８からの伝送回線１０６に接続した光警報装置３０、非常押釦装置３２、人体センサ３４、照明装置３６及び放火監視センサ３８には固有のアドレスが予め割り当てられており、受信機１０からの伝送回線１２と同様にして信号の送受信を行う。
【０１３０】
制御用中継装置２８、光警報装置３０、非常押釦装置３２、人体センサ３４、照明装置３６及び放火監視センサ３８には、伝送回線１０６を接続した伝送部５８ａ，６４ａ，７４ａ，８０ａ，８６ａ，９６ａを設けている。それ以外の機能構成は、図３の実施形態と同じであることから、同じ符号を付して説明を省略する。
【０１３１】
本実施形態は、トイレエリアに設置した機器の間は配線工事を必要とするが、制御用中継装置１０２を受信機１０からの伝送回線１２に接続して非常通報警報、放火警報、及び照明装置の動作状況を出力可能としており、トイレエリアと監視側との間の配線工事を不要にできるメリットがある。
【０１３２】
（自動火災報知システムと連携しない有線式警報システム）
図８は自動火災報知システムと連携した有線式の警戒システムの機能構成を示したブロック図である。
【０１３３】
図８に示すように、公衆トイレ等の独立したトイレ施設には、制御装置１０２を設置し、制御装置１０２から引き出した伝送回線１０６に、図７の場合と同様に、光警報装置３０、非常押釦装置３２、人体センサ３４、照明装置３６及び放火監視センサ３８を接続し、信号を送受信可能としている。
【０１３４】
制御装置１０２、光警報装置３０、非常押釦装置３２、人体センサ３４、照明装置３６及び放火監視センサ３８には、伝送回線１０６を接続した伝送部５８ａ，６４ａ，７４ａ，８０ａ，８６ａ，９６ａを設けている。それ以外の機能構成は、図３の実施形態と同じであることから、同じ符号を付して説明は諸略する。
【０１３５】
本実施形態は、トイレエリアに設置した機器の間は配線工事を必要とするが、トイレ個室が少ないトイレ施設であれば配線工事はそれほど問題とはならず、小規模なトイレ施設に好適といえる。
【０１３６】
［本発明の変形例］
（監視対象）
上記の実施形態は、警報システムの監視対象としてトイレを例にとるものであったが、これ以外に、警戒対象とする適宜の警戒区域や施設を対象に設置することができる。また、個室として利用される複数の区画を有する警戒区域や施設としては、例えば漫画喫茶、インターネットカフェ、個室ビデオボックス等を含む適宜の警戒区域や施設を対象に設置することができる。
【０１３７】
（自動火災報知設備）
また、受信機又は制御盤から伝送回線を引き出して端末機器を接続し、端末アドレスを指定して信号を送受信可能な適宜のシステムについても、同様にしてトイレエリア等の警戒区域の機器と連携した警報システムを構築することができる。
【０１３８】
（Ｐ型警報システム）
また、光制御装置、非常押釦装置、放火監視センサ、人体センサ、照明装置等の端末機器としてオンオフ信号を授受する端末機器とした場合、制御用中継装置から引き出した回線毎に端末機器を接続する所謂Ｐ型システムとすることで、同様にしてトイレエリア等の警戒区域の機器と連携した警報システムを構築することができる。
【０１３９】
（その他）
また、本発明はその目的と利点を損なうことのない適宜の変形を含み、更に上記の実施形態に示した数値による限定は受けない。
【符号の説明】
【０１４０】
１０：受信機
１２，１０６：伝送回線
１４：火災感知器
１６：中継器
２２：トイレエリア
２２ａ：女子トイレ
２２ｂ：男子トイレ
２４：トイレ個室
２６：トイレ共用部
２８：制御用中継装置
３０：光警報装置
３２：非常押釦装置
３４：人体センサ
３６：照明装置
３８：放火監視センサ
４２，５４，６２，７０，７６，８４，９２：制御部
４４，５６，５８ａ，６４ａ，７４ａ，８０ａ，８６ａ，９５ａ：伝送部
５８，６４，７４，８０，８６，９６：通信部
６８：発光部
７２：スイッチ部
７８，９４：センサ部
９０：照明部
１００：トイレ施設
１０２：制御装置
【図１】
0006473030.tif 000002
【図２】
0006473030.tif 000003
【図３】
0006473030.tif 000004
【図４】
0006473030.tif 000005
【図５】
0006473030.tif 000006
【図６】
0006473030.tif 000007
【図７】
0006473030.tif 000008
【図８】
0006473030.tif 000009